(57)【要約】      （修正有）【課題】躯体の建造費を低減することができるメガフロートを提供する。【解決手段】コンクリート製の底床版と壁・床版・梁・ブラケットによる箱型フロート１と、コンクリート製床版及び梁・枠梁によるブリッジ躯体２、コンクリート製の底床版と壁・ブラケット等によるランチボックス方式箱型フロート３をボルトとナットで結合した箱型方式メガフロート。フロート及びブリッジの床版や枠梁・梁をプレストレスト鉄筋コンクリートで建造する。【選択図】図１
2014237422.tif 000002
【特許請求の範囲】
【請求項１】
鉄筋コンクリート製箱型フロートとブリッジによるメガフロート
【請求項２】
プレストレスト鉄筋コンクリート製箱型フロートとブリッジによるメガフロート
【発明の詳細な説明】
【技術分野】
【０００１】  本発明は海上都市や海上空港用の箱型方式メガフロートに関するものである。
【背景技術】
【０００２】島国の我が国をはじめ海洋国家は今後海上に空港や都市および海洋開発の施設としてメガフロートの需要が増え続けることになると考察されるが従来の箱型メガフロートは躯体を鋼材で建造するために下記の様な欠点があった【０００３】躯体を鋼材で建造するために建造費が嵩む【０００４】鋼材と鋼材の接合に時間がかかるし躯体建造費が嵩む【０００５】フロートとフロートのユニット結合は水中溶接等の高度な技術の為に結合費用が嵩む【０００６】躯体を鋼材で製作するため防錆塗装処理費用がいるしメンテの費用も嵩む【０００７】躯体を鋼材で製作するため水面下の水中部位の防錆塗装処理が困難【０００８】水中部位の防錆塗装処理が困難だから塗装代が嵩む【０００９】水中部位の鋼材を防錆塗装不要な特殊鋼で処理すると鋼材と溶接費用が嵩む【００１０】フロートの故障や事故による復元修理が難しく耐久性能が短い【００１１】フロートを小面積のユニットで建造すると海上や水中での結合費用が嵩む【００１２】ユニットの結合費用問題で結合を少なくする為大きなユニットで建造するので小さな造船設備では対応できない等の欠点があった
【発明の開示】
【発明が解決しようとする課題】
【００１３】躯体の建造費が嵩む問題【００１４】躯体の鋼材と鋼材の接合に時間がかかるし躯体建造費が嵩む問題【００１５】フロートとフロートのユニット結合の水中溶接等の高度な溶接費用が嵩む問題【００１６】鋼製躯体の防錆塗装処理費用が嵩む問題【００１７】メンテナンスの防錆塗装処理のランニングコストが嵩む問題【００１８】水面下の水中部位の特殊鋼材や塗装費用が嵩む問題【００１９】フロートの故障や事故による復元修理やメガフロートのメンテナスの問題【００２０】フロートのユニットが大きいので小さな造船設備では対応できない問題
【課題を解決するための手段】
【００２１】以上のような課題を解決するためにこの発明では箱型フロート及びブリッジの躯体をコンクリートで建造する  （図１〜７参照）【００２２】箱型フロートは床版・壁・底床版・梁・ブラケット等で構成し上部の床版にマンホール  壁に躯体結合用の穴を設けておく（図１・２・３・５〜７参照）【００２３】ブリッジは床版・枠梁・梁で構成して枠梁に躯体ユニット結合用の穴を設けておく（図１・２・３・４・６参照）【００２４】  底床版・壁・ブラケット等の部位で構成し壁に躯体結合用の穴を設けたランチボックス方式箱型フロートに枠梁・梁・床版によるにブリッジを結合させる（図３・４・６・７参照）【００２５】箱型フロート及びブリッジの床版と枠梁・梁をコンクリートで建造する等の簡単な構造（図１〜７参照）
【発明の効果】
【００２６】躯体をコンクリートで製造するので建造費用が安価【００２７】躯体をコンクリートで製造すると構造が簡単で高度の技術が不要【００２８】構造が簡単で高度の技術が不要だから建造工期が短い【００２９】箱型フロートと箱型フロート及びブリッジの結合をボルトとナットで処理できるので高度の結合技術が不要【００３０】躯体をコンクリートで建造するので防錆塗装処理が不要【００３２】箱型フロートと箱型フロート及びブリッジの結合が簡単で安価だからフロート及びブリッジを小面積のブロックで建造できる【００３３】箱型フロート及びブリッジは構造が簡単で小面積のユニットで建造できるので小規模の造船所や海岸及び湖岸等の浅瀬で建造できる【００３４】箱型フロートユニットとブリッジユニットの組み合わせが出来るので箱型フロートと箱型フロートの結合によるメガフロートより安価に建造できる【００３５】箱型フロートと箱型フロート及びブリッジをボルト・ナットによる結合工法だから解体も簡単でユニットの損傷個所や故障による復元修理やメンテナンスが簡単【００３６】箱型フロートの躯体を鉄筋コンクリートで建造するので箱型フロートの空間部や床版上部に用途に応じた構築物等を鉄筋コンクリートで建設できる【００３７】箱型フロート及びブリッジの床版や枠梁・梁をプレストレスト鉄筋コンクリートで建造するとフロート及びブリッジの高強度躯体と軽量化ができる
【発明を実施するための最良の形態】
【００３８】フロートは鉄筋コンクリートによる床版・壁・梁・底床版・ブラケットで構成し上部の床版にマンホール  壁に躯体結合用の穴を設けておく（図１・２・３参照）
尚、使用するコンクリートに防水材を混入して防水コンクリートにする
ブリッジは鉄筋コンクリートによる床版・枠梁・梁で構成して鍔梁に躯体結合用の穴を設けておく（図１２３参照）【００３９】フロート及びブリッジの床版や枠梁・梁をプレストレスト鉄筋コンクリートで建造する（図１〜７参照）
【実施例１】
【００４０】コンクリート製の底床版と壁・床版・梁・ブラケットによる箱型フロートとコンクリート製床版及び梁・枠梁によるブリッジをボルトとナットで結合した箱型フロートとブリッジによるメガフロート（図１・２・５・７参照）
【実施例２】
【００４１】コンクリート製の底床版と壁・ブラケット等によるランチボックス方式箱型フロートとコンクリート製床版及び枠梁・梁等によるブリッジによるメガフロート（図１・３・４・６参照）
【実施例３】
【００４２】コンクリート製の底床版と壁・ブラケット等によるランチボックス方式箱型フロートにコンクリート製床版及び枠梁・梁等によるブリッジをボルトとナットで結合した箱型フロートとブリッジによるメガフロート（図８参照）【００４３】図面２〜７の箱型フロートユニットとブリッジユニットを平面に結合したメガフロート「図１」の床版部位の上面に防塵塗装やアスファルト舗装を施する
【産業上の利用可能性】
【００４４】躯体をコンクリートで建造するので構造が簡単で高度の技術が不要【００４５】構造が簡単で高度の技術が不要だから建造工期が短いし建造費用が安価【００４６】フロートとフロート及びブリッジ等のユニットの結合をボルトとナットで処理するので高度の結合技術が不要で結合費用が安価【００４７】躯体をコンクリートで製造するので防錆塗装処理が不要で耐久性も高い【００４８】フロートとフロート及びブリッジ等のユニットの結合が簡単で安価だからフロート及ブリッジを小面積のユニットで建造して結合しても採算が合う【００４９】フロート及びブリッジは構造が簡単で小面積のユニットで建造できるので小規模の造船所や海岸及び湖岸等の浅瀬で建造できる【００５１】フロートとフロート及びブリッジ等のユニットの結合が簡単だからフロートやブリッジの故障や事故による復元修理やメンテナンスが簡単等の利点があるので海上都市・海上空港・石油採取施設・石油備蓄基地・廃棄物処理施設・メタンハイドレート等の海洋開発・港湾施設・水産関連施設・エネルギー関連施設・スポーツ・レジャー施設等に貢献できるので産業への経済効果は大きい
【図面の簡単な説明】
【００５２】
【図１】各種箱型フロートユニットとブリッジユニットを結合させたメガフロートの平面図
【図２】箱型フロートユニットとブリッジユニットを結合させたメガフロートのＡ−Ａ断面図
【図３】ランチボックス方式箱型フロートユニットとブリッジユニットを結合させたメガフロートのＢ−Ｂ断面図
【図４】ランチボックス方式箱型フロートユニットとブリッジユニットを結合させたメガフロートのＣ−Ｃ断面図
【図５】箱型フロートユニットと箱型フロートユニットを結合させたメガフロートのＤ−Ｄ断面図
【図６】ランチボックス方式箱型フロートユニットに箱型フロートユニットを結合させたメガフロートのＥ−Ｅ断面図
【図７】箱型フロートユニットとブリッジユニットを結合させたメガフロートのＦ−Ｆ断面図
【図８】蓋なしランチボックス方式箱型フロートユニットに箱型フロートを結合させたメガフロート
【符号の説明】
【００】  １    箱型フロートユニット
２    ブリッジユニット
３    ランチボックス方式箱型フロートユニット
４    床版
５    壁
６    梁
７    底床版
８    ブラケット
９    枠梁
１０    ボルト・ナット
１０ａ  座金
１１    マンホール
１１ａ  マンホール蓋
【図１】
2014237422.tif 000003
【図２】
2014237422.tif 000004
【図３】
2014237422.tif 000005
【図４】
2014237422.tif 000006
【図５】
2014237422.tif 000007
【図６】
2014237422.tif 000008
【図７】
2014237422.tif 000009
【図８】
2014237422.tif 000010